(57)【要約】【課題】主に小規模な商店の商品の監視や自動販売機の監視等に使用する防犯装置であって、毎日の設定操作を必要とせず、低価格で簡易な防犯装置を提供する。【解決手段】制御装置２、監視カメラ３、センサ４、ハードディスク６、録画装置７、および、データの送受信時のみ使用するパソコン５を備えた防犯装置１であって、ビデオの電源およびカメラ電源の入切を制御装置２で行い、パソコン５で指定した時間やセンサ検知時に録画を行い、録画装置７に用いられるビデオテープが終端となった場合には自動で巻き戻しを行うことで毎日の設定操作が必要なくなる。【選択図】　図１
2004080288.tif 000002
【特許請求の範囲】
【請求項１】
監視カメラと、センサと、制御装置と、録画装置を備えた防犯装置であって、前記制御装置には監視の開始時刻と終了時刻およびセンサ検知録画を設定する入力手段と、前記録画装置の電源入と電源切と録画と停止および巻き戻しを行う録画装置制御手段を備えたことを特徴とする防犯装置。
【請求項２】
監視カメラと、センサと、制御装置と、録画装置を備えた防犯装置であって、前記制御装置には監視の開始時刻と終了時刻およびセンサ検知録画を設定する入力手段と、前記監視カメラから得られた画像を圧縮する画像圧縮手段と、前記入力手段より入力された設定データおよび前記圧縮手段より圧縮された画像を格納するハードディスクと、前記録画装置の電源入と電源切と録画と停止および巻き戻しを行う録画装置制御手段を備えたことを特徴とする防犯装置。
【請求項３】
監視カメラと、センサと、制御装置と、録画装置を備えた防犯装置であって、前記制御装置には監視の開始時刻と終了時刻およびセンサ検知録画を設定する入力手段と、前記監視カメラの電源入および電源切を行う監視カメラ制御手段と、前記監視カメラから得られた画像を圧縮する画像圧縮手段と、前記入力手段より入力された設定データおよび前記圧縮手段より圧縮された画像を格納するハードディスクと、前記録画装置の電源入と電源切と録画と停止および巻き戻しを行う録画装置制御手段を備えたことを特徴とする防犯装置。
【請求項４】
前記入力手段は、パソコンを用いたものであって、前記制御装置にパソコンを接続することによりデータを入力することを特徴とする請求項１ないし２記載の防犯装置。
【請求項５】
請求項１記載の防犯装置の制御方法であって、現在時刻が開始時刻と終了時刻間の監視時間内でありさらに前記センサにより人体の検知があった場合に前記監視カメラからの画像を前記録画装置に録画し、この録画装置に備えられたビデオテープが終端であったならば巻き戻しを行った後に録画を行う前記制御装置であることを特徴とする防犯装置の制御方法。
【請求項６】
請求項２記載の防犯装置の制御方法であって、現在時刻が開始時刻と終了時刻間の監視時間内でありさらに前記センサにより人体の検知があった場合に前記監視カメラからの画像を圧縮しつつ前記ハードディスクに録画し、このハードディスクに画像がある一定量蓄積されたなら前記録画装置に転送して録画し、この録画装置に備えられたビデオテープが終端であったならば巻き戻しを行った後に録画を行う前記制御装置であることを特徴とする防犯装置の制御方法。
【発明の詳細な説明】
【０００１】
【発明の属する技術分野】
本発明は、監視カメラ、センサ、録画装置、および、これらを制御する制御装置からなる防犯装置であって、主に商店等に陳列された商品または自動販売機の監視を行う防犯装置に関するものである。
【０００２】
【従来の技術】
業者と警備の契約行う防犯システムは従業員の退社時にシステムを監視状態にし、出社時に監視解除するものがある。監視状態では扉の開放センサ、人体センサ等が動作しており、扉が開放される等の異常があった場合には電話回線を用いて業者のセンタに自動通報されガードマンが現場に駆けつけるものであった。この防犯システムは異常時にはガードマンが直ちに現場に駆けつけるため侵入者を現行犯で捕らえられる可能性が高く、被害を最小限にすることができるものであった。
また、業者との契約を必要としない防犯システムは、実開平６−８１１８１号公報において開示されるものがあった。これは監視カメラ、制御装置、ビデオデッキおよびテレビ受像器からなるもので、在宅時であってテレビの電源が切れている場合に来訪者を検出するとテレビの電源が自動で入りテレビ画面に監視カメラの映像が表示され、在宅時であってテレビの電源が入っている場合には来訪者を検出するとテレビ画面が自動で監視カメラの映像に切り替わり来訪者を確認できるものであった。また、不在の場合に来訪者を検出するとビデオデッキの電源が自動で入り監視カメラの映像の録画を行うことで来訪者の確認ができるものであった。
【０００３】
【発明が解決しようとする課題】
しかしながら、上記の従来技術である業者との契約による防犯システムは異常時にガードマンが駆けつける安心はあるものの毎月の契約料が必要であり個人経営および小規模の、商店や事務所では利用を躊躇するものであった。
上記システムでは退社時に監視状態にし出社時に監視解除を行うという作業が必要であり、常に防犯システムを利用しているという認識を持つことができるが新たにシステムを導入するに当たってはこれまで必要なかった作業が増えてしまっていた。
また、夜間等の侵入者の監視であれば侵入者の検出と同時に通報を行えばよいが、万引、自動販売機荒らしの監視では録画した画像を調べなければ犯人を特定できず、万引き等を瞬時に検出することは困難であり上記防犯システムは不向きであった。
本発明は、上記諸点にかんがみてなされたものであって、その目的とするところは、毎日の設定操作を必要とせず、低価格・簡易な防犯システムを提供することである。
【０００４】
【課題を解決するための手段】
そのた、本発明は、監視カメラと、センサと、制御装置と、録画装置を備えた防犯装置であって、前記制御装置には監視の開始時刻と終了時刻およびセンサ検知録画を設定する入力手段と、前記録画装置の電源入と電源切と録画と停止および巻き戻しを行う録画装置制御手段を備えたことを特徴とする防犯装置を要旨としている。
【０００５】
また、本発明は、監視カメラと、センサと、制御装置と、録画装置を備えた防犯装置であって、前記制御装置には監視の開始時刻と終了時刻およびセンサ検知録画を設定する入力手段と、前記監視カメラから得られた画像を圧縮する画像圧縮手段と、前記入力手段より入力された設定データおよび前記圧縮手段より圧縮された画像を格納するハードディスクと、前記録画装置の電源入と電源切と録画と停止および巻き戻しを行う録画装置制御手段を備えたことを特徴とする防犯装置を要旨としている。
【０００６】
また、本発明は、監視カメラと、センサと、制御装置と、録画装置を備えた防犯装置であって、前記制御装置には監視の開始時刻と終了時刻およびセンサ検知録画を設定する入力手段と、前記監視カメラの電源入および電源切を行う監視カメラ制御手段と、前記監視カメラから得られた画像を圧縮する画像圧縮手段と、前記入力手段より入力された設定データおよび前記圧縮手段より圧縮された画像を格納するハードディスクと、前記録画装置の電源入と電源切と録画と停止および巻き戻しを行う録画装置制御手段を備えたことを特徴とする防犯装置を要旨としている。
【０００７】
また、前記入力手段は、パソコンを用いたものであって、前記制御装置にパソコンを接続することによりデータを入力することを特徴とする請求項１ないし２記載の防犯装置とすることができる。
【０００８】
また、請求項１記載の防犯装置の制御方法にあっては、現在時刻が開始時刻と終了時刻間の監視時間内でありさらに前記センサにより人体の検知があった場合に前記監視カメラからの画像を前記録画装置に録画し、この録画装置に備えられたビデオテープが終端であったならば巻き戻しを行った後に録画を行う前記制御装置であることを特徴とする防犯装置の制御方法を要旨としている。
【０００９】
また、請求項２記載の防犯装置の制御方法にあっては、現在時刻が開始時刻と終了時刻間の監視時間内でありさらに前記センサにより人体の検知があった場合に前記監視カメラからの画像を圧縮しつつ前記ハードディスクに録画し、このハードディスクに画像がある一定量蓄積されたなら前記録画装置に転送して録画し、この録画装置に備えられたビデオテープが終端であったならば巻き戻しを行った後に録画を行う前記制御装置であることを特徴とする防犯装置の制御方法を要旨としている。
【００１０】
【発明の実施の形態】
以下、本発明の実施の形態を図面に基づいて説明する。本実施形態の防犯装置１は、図１に示すように、制御装置２、監視カメラ３、センサ４、パソコン５、ハードディスク６、および、録画装置７で構成されるものである。
【００１１】
監視カメラ３は動画を撮影する事のできるカメラである。監視カメラ３は商品の万引きや自動販売機荒らしの監視のため商品陳列棚または自動販売機を撮影できる位置に設けられており、監視カメラ３で撮影された画像データは後述する制御装置２に送られるようになっている。
【００１２】
センサ４は指定位置に人間または物体がいることを検知するセンサである。センサ４は商品陳列棚や自動販売機に人間が近づいたことを検知できる位置に設置されており、センサ４の検知情報は後述する制御装置２に自動で送られるようになっている。
【００１３】
パソコン５は市販のもので防犯装置１の時刻設定、使用テープ設定、監視時間設定、および、録画状況の取得を行うためのものであり、設定時、および、取得時にはＲＳ２３２Ｃを用いて後述する制御装置２に接続し各データの送受信を行うことができるようになっている。
【００１４】
ハードディスク６は市販のパソコンに用いられている記憶装置である。ハードディスク６はパソコン５から送られた監視時間等のデータ、および、監視カメラ３から得られた画像の格納を行うための記録装置であり、制御装置２の制御により自動で動作するように設けられている。
【００１５】
録画装置７は市販されているビデオデッキである。録画装置７は監視カメラ３から送られた画像を格納できるように設けられており、制御装置２の制御により自動で電源の入、電源の切、録画、再生、および、巻き戻しを行うことができるようになっている。
【００１６】
制御装置２は前述した監視カメラ３、センサ４、ハードディスク６、および、録画装置７の動作を制御するために設けられており、予め設定された時刻に監視カメラ３を動作させ画像を取得後、圧縮してハードディスク６または録画装置７に記録するように設けられている。
【００１７】
次にパソコン５から制御装置２に時刻設定、使用テープ設定、監視時間設定、および、録画状況の取得をする場合の手順を図２から図４に基づいて説明する。まず防犯装置１の時刻・使用テープの設定手順を図２に基づいて説明する。ＲＳ２３２Ｃによりパソコン５と制御装置２を接続しパソコン５内の時刻設定のプログラムを起動するとパソコン５の画面には時刻・使用テープ設定画面１０が表示される。この画面中で年１１は現在の年を西暦で入力する枠であり、同様に月１２は現在の月、日１３は現在の日、時１４は現在の時、分１５は現在の分、および、秒１６は現在の秒を入力する枠である。
また、使用テープ１７は３０、６０、１２０等、記録装置７に使用するテープの記録可能時間を入力する枠である。
これらの枠に現在の値を入力の後、マウスで送信ボタン１９を押すと入力した時刻は制御装置２に送信される。受信ボタン１８は制御装置２に設定されている時刻・使用テープ情報を取得するためのボタンでありこのボタンを押すことにより上記データが時刻・使用テープ設定画面１０に表示される。終了ボタン２０は時刻設定プログラムを終了させるボタンである。
次に、防犯装置１の録画設定手順を図３に基づいて説明する。録画設定手順も上記時刻・使用テープの設定手順と同様にＲＳ２３２Ｃによりパソコン５と制御装置２を接続して行う。パソコン５を制御装置２に接続後パソコン５内の録画設定のプログラムを起動させるとパソコン５の画面に録画設定画面２０が表示される。
録画設定画面２０中の送信済みデータ２１枠は表示されている録画設定のデータが制御装置２に送信されたかのフラグでありチェックされたデータ（四角の枠内にレと記されたデータ）は既に制御装置２に送信されたデータであることを表している。
日付２２枠は録画する日付を入力する枠であり日付を指定する場合は「１２／１２」のように月、スラッシュ（／）、日からなる日付を入力し、毎日録画する場合は「毎日」と入力し、また、毎週録画する場合は「毎週」と入力する。
曜日２３枠は日付２２枠に「毎週」と指定した場合のみ入力ができる枠であり、「日」から「土」の任意の曜日を入力できる。日付２２で日付を指定して入力した場合は曜日２３には自動で対応する曜日が表示される。また、日付２２で「毎日」と入力した場合は曜日２３の枠には対応する曜日を表示不能という意味の「−」が自動で表示される。
開始時刻２４枠および終了時刻２５枠は監視開始時刻と監視終了時刻を入力する枠であり「２３：２０」のように時、コロン（：）、分からなる時刻を２４時間表示で入力する。
センサ検知録画２６枠はテープの節約のために設けられたものであり、チェックされたデータ（四角の枠内にレと表示されたデータ）は開始時刻２４から終了時刻２５の監視時間内にセンサ４が人体等の物体の接近を感知した場合のみ監視カメラ３から得られた画像を録画するという動作を行うものである。ここにチェックされていないデータは上記監視時間内に監視カメラ３から得られた画像を全て録画するという動作を行う。この枠へのチェックはマウスで四角の枠をクリックすることで行う。
センサ検知録画時間２７は前述したセンサ検知録画２６がチェックされている場合に参照されるデータであり、センサ４の検知によりどれだけの時間録画を行うかを指定している。（ここに「２０」と入力したならばセンサ４の検知から録画を開始してセンサ４の検知がなくなってから２０分後に録画を終了する。）この枠の入力単位は分である。
上記日付２２、曜日２３、開始時刻２４，終了時刻２５センサ検知録画２６、および、センサ検知時間２７を入力の後、送信ボタン３０を押し制御装置２に録画データを送信する。正常に送信が行われると送信済みデータ２１にチェックが表示される。
上記録画設定は１００件分入力することができるので表示しきれないデータを表示するためにスクロールバー２８が設けられている。このスクロールバー２８をマウスを用いて上下させることにより表示されていないデータを表示することができるようになっている。
受信ボタン２９は制御装置２に送信された録画設定情報をパソコン５の画面に表示させるボタンであり、このボタンを押すことにより上記データが録画設定画面２０に表示される。終了ボタン３１は録画設定プログラムを終了させるボタンである。
次に、防犯装置１の録画状況の表示手順を図４に基づいて説明する。録画状況の表示手順も上記時刻設定手順と同様にＲＳ２３２Ｃによりパソコン５と制御装置２を接続して行う。パソコン５を制御装置２に接続後パソコン５内の録画設定のプログラムを起動させるとパソコン５の画面に録画状況画面４０が表示される。録画状況画面４０の受信ボタン４９を押すと制御装置２から録画情報を取得し録画状況画面４０に表示する。
録画状況画面４０中のカメラ番号４１枠は録画したカメラに付けた番号を表している。本実施例では防犯カメラ３が一台のみであるのでカメラ番号４１は１のみである。
日付４２枠は録画された日付を表し、曜日４３枠は録画された曜日を表している。また、開始時刻４４枠、終了時刻４５枠はそれぞれ録画開始時刻と録画終了時刻を表している。
センサ検知録画４６枠にチェックのあるデータは録画の開始がセンサの感知であったことを表し、チェックされていないデータは録画設定画面２０（図３参照）の開始時刻２４から録画を開始したデータであることを表している。
テープ位置４７枠は左端がテープの開始を表し右端がテープの終了を表し、枠内に表示された縦棒が録画位置を表し、縦棒の太さがテープの使用量を表している。この縦棒は録画されたデータのおおよその位置と使用量を表すように設けられている。
上記録画状況画面４０はテープに記録された録画データの全ての情報を保持しているので一画面で表示しきれないデータを表示するためにスクロールバー４８が設けられておりこのスクロールバー４８を上下させることにより一画面に表示しきれないデータを表示することができるようになっている。
終了ボタン５０は録画状況の表示プログラムを終了させるボタンである。
次に、本実施形態の作動態様を図５および図６に基づいて説明する。まず、録画設定画面２０（図３参照）のセンサ検知録画２６枠がチェックされていない場合（センサ検知録画でない）の処理の流れについて説明する。本実施例の防犯装置１の動作は防犯処理フロー６０に示すように電源を投入すると初期化処理として制御装置２がカメラ・ビデオ電源を切る（Ｓ６１）作業を行う。制御装置２は現在時刻が録画設定画面２０で設定した録画開始時刻２４と終了時刻２５との間の時間であるかを常に監視している（Ｓ６２）。現在時刻が録画開始時刻２４となるとセンサ検知録画２６でない場合はカメラ電源を入れて（Ｓ６５）画像記録（Ｓ６６）を開始する。現在時刻が終了時刻２５になるまで画像記録を行ない（Ｓ６７）終了時刻２５になるとカメラ電源を切って（Ｓ６８）再度現在時刻と監視時間を監視する（Ｓ６２）というものである。
次に、センサ検知録画２６枠がチェックされている場合の処理を図６に基づいてについて説明する。この場合の防犯装置１の動作は防犯処理フロー６０に示すように制御装置２の電源を投入すると初期化処理として制御装置２がカメラ・ビデオ電源を切る（Ｓ６１）作業を行う。制御装置２は現在時刻が録画設定画面２０で設定した録画開始時刻２４と終了時刻２５との間の時間であるかを常に監視している（Ｓ６２）。現在時刻が録画開始時刻２４となるとセンサ検知録画２６であるので（Ｓ６３）センサ４の感知を調べる（Ｓ６４）センサ４の感知が無かった場合には再度現在時刻の監視（Ｓ６２）を行う。センサ４の感知（Ｓ６４）があったならばカメラの電源を入れて（Ｓ６５）画像の記録を行う（Ｓ６６）。録画設定画面２０（図３参照）のセンサ検知録画時間２７で指定された時間だけ録画を行う（Ｓ６７）。指定時間録画の後カメラの電源を切り（Ｓ６８）再度現在時刻の監視（Ｓ６２）を行うものである。
次に、防犯処理フロー６０内の画像記録６６の処理について説明する。防犯カメラ３から得られた画像は圧縮（Ｓ７１）された後一時的にハードディスク６へ記録される（Ｓ７２）。この圧縮（Ｓ７１）とハードディスク６への記録（Ｓ７２）処理と平行して一定量の画像がハードディスク６に貯まったかを監視しており（Ｓ７３）、一定量の画像が貯まった場合にビデオの電源を入れる（Ｓ７４）。ビデオテープが終端にあるかを確認し（Ｓ７５）、終端ならばテープの巻き戻し（Ｓ７６）を行った後、ハードディスクに蓄えられた画像を録画装置に転送する（Ｓ７７）。転送が終了したらビデオの電源を切る（Ｓ７８）という処理を行うものである。
なお、以上のとおり本実施形態について説明したが、本発明の趣旨を逸脱しない範囲において種々なる実施の態様をとることができる。例えば、図７（ａ）に示すように、ハードディスクを用いない構成の防犯装置１０１としてもよい。この実施の態様では録画設定の情報は制御装置１０２に設けられた図示しないメモリに記録することになる。ハードディスクを用いていないためテープの巻き戻しの最中には画像を記録することができないが、本実施の態様ならば防犯装置１０１をより安価に提供することができる。
また、図７（ｂ）に示すように録画装置を用いない構成の防犯装置２０１としてもよい。この実施の態様ではビデオデッキと比較して記憶容量の少ないハードディスク２０６に画像を記録するので録画時間が短くなる。古い画像に上書きをする方法でエンドレスに録画している本発明の場合は必要な画像が上書きにより失ってしまう可能性もあるが、画像読み出しと早く行うことができ、また、ビデオデッキの録画装置を必要としないので防犯装置２０１をより安価に提供することができる。
また、図８（ａ）に示すようにセンサを用いない構成の防犯装置３０１としてもよい。この実施の形態の場合、センサを備えていないので録画設定画面２０（図３参照）の開始時刻２４から終了時刻２５まで録画装置３０７に画像を記録する。
また、図８（ｂ）に示す防犯装置４０１のように２組の監視カメラ４０３，センサ４０４および監視カメラ４１３，センサ４１４を用いて２カ所を監視してもよい。
【００１８】
【発明の効果】
以上のとおり、本発明によれば、パソコンで入力した録画情報により自動で録画を行い防犯カメラおよび録画装置の電源も自動で入切でき、またテープの巻き戻しも自動で行うので毎日の設定作業を必要とせず、防犯装置導入後も導入前と変わらずに毎日の業務を行うことができる。
【図面の簡単な説明】
【図１】実施形態の構成図である。
【図２】本実施形態の時刻・使用テープ設定画面である。
【図３】本実施形態の録画設定画面である。
【図４】本実施形態の録画状況画面である。
【図５】本実施形態の処理の流れ図である。
【図６】本実施形態の画像記録部の処理の流れ図である。
【図７】（ａ）、（ｂ）は他の実施形態の構成図である。
【図８】（ａ）、（ｂ）は他の実施形態の構成図である。
【符号の説明】
１　防犯装置
２　制御装置
３　監視カメラ
４　センサ
５　パソコン
６　ハードディスク
７　録画装置
１０　時刻・使用テープ設定画面
２０　録画設定画面
４０　録画状況画面
６０　防犯処理フロー
７０　画像記録処理フロー
【図１】
2004080288.tif 000003
【図２】
2004080288.tif 000004
【図３】
2004080288.tif 000005
【図４】
2004080288.tif 000006
【図５】
2004080288.tif 000007
【図６】
2004080288.tif 000008
【図７】
2004080288.tif 000009
【図８】
2004080288.tif 000010